(57)【要約】【課題】装置本体を開状態にして装置全体を床置きした場合において、キー操作時の装置のぐらつきを防止することができる携帯電話機を提供する。【解決手段】本装置が開状態になると、装置全体の重心９が受話側４へ傾くので、先端部に錘１３を実装した電池カバー１１をスライドさせる。送話側１のケースの両側面には、電池カバー１１とのスライドレールを構成する溝部を設け、スライド時に、電池カバー１１側に設けたスライド引っ掛かり凸部が溝部の中でスライドする。スライド途中には、電池カバー１１側に凸部を設けており、電池カバー１１の取外し時の位置を検知できる。電池カバー１１を、さらにスライドさせると、凸部に乗り上げて停止し、重心９の位置が送話側１へ移動して安定し、また、電池カバー１１の下面の大部分の面積が台床７と接地するので、キー８を安定して操作できる。【選択図】図１
2012029238.tif 000002
【特許請求の範囲】
【請求項１】
装置本体の送話側に、該装置本体の縦方向の長さを増加させる方向への引き出しが可能で、かつ前記引き出し後には底面が着床するように構成された、前記装置本体の一部を構成する構造体を設けたことを特徴とする携帯電話機。
【請求項２】
前記構造体は、前記装置本体に電力を供給する電池を覆う電池カバーであることを特徴とする請求項１記載の携帯電話機。
【請求項３】
前記送話側の両側面には溝部が設けられ、前記電池カバーは、該溝部の内部に挿入可能な部位を有していることを特徴とする請求項２記載の携帯電話機。
【請求項４】
前記挿入可能な部位は引っ掛かり凸部を有すると共に、前記溝部の内部では前記引っ掛かり凸部と一体で前記溝部の内部をスライド可能であるように構成されていることを特徴とする請求項３記載の携帯電話機。
【請求項５】
前記送話側の両側面に設けられた溝部の内部には、前記スライド時に前記引っ掛かり凸部との間で摩擦を生じるような凸部が設けられていることを特徴とする請求項４記載の携帯電話機。
【請求項６】
前記引き出し後の前記構造体の前記底面は、本装置が開状態で使用される時に該装置全体を力学的に安定に維持させることができる着床面積を有する平坦部を備えていることを特徴とする請求項１または請求項２記載の携帯電話機。
【請求項７】
前記引き出し後の前記構造体は、本装置が開状態で使用される時に、該装置全体を力学的に安定に維持させることができる重量及び形状を有していることを特徴とする請求項１または請求項２記載の携帯電話機。
【請求項８】
開状態での使用時に、前記引き出し後の前記構造体は、前記装置本体の送話側に倒れ込む形状を有していることを特徴とする請求項１または請求項２記載の携帯電話機。
【請求項９】
装置本体の送話側に、該装置本体の縦方向の長さを増加させる方向への引き出しが可能で、かつ前記引き出し後には底面が着床するように構成された、前記装置本体の一部を構成する構造体を設けることを特徴とする携帯電話機本体の不安定化防止方法。
【発明の詳細な説明】
【技術分野】
【０００１】
本発明は携帯電話機及び携帯電話機本体の不安定化防止方法に係り、特に、携帯電話機の本体を開状態にし、装置全体を床置きして使用する場合において、キー操作時の装置のぐらつきを防止することができる携帯電話機及び携帯電話機本体の不安定化防止方法に関する。
【背景技術】
【０００２】
近年、携帯電話機は、装置の薄型化等の要請に伴い、形状が益々多様化している。
図７は、従来の折り畳み式携帯電話機の一例としての外観図である。
図８は、従来の折り畳み式携帯電話機の一例としての正面図である。
同図に示す矢印は、装置ラウンドフォルム部２による装置短手方向のぐらつきを示すものである。
図７，８に示す従来の折り畳み式携帯電話機２０の外観は、送話側１と装置ラウンドフォルム２とを示している。送話側１には、通常、電池カバーが設けられるが、ここでは図示を省略している。
図７にも見られるように、近年の折り畳み式携帯電話機２０は、デザイン性及び持ち易さが配慮されている。また、図７，８に示す従来の折り畳み式携帯電話機２０では、送話側１の背面側に装置ラウンドフォルム２を有する構造となっている。
【０００３】
図９は、従来の折り畳み式携帯電話機の台床設置状態での側面図を示すものである。
同図に示すように、送話側１の背面側に装置ラウンドフォルム２を有する構造の折り畳み式携帯電話機（例えば、折り畳み式携帯電話機２０）の場合、実際のユーザ使用時には、通常、装置全体が台床７（床または机）の上に置いて使用される場合が多い。
図１０は、従来の折り畳み式携帯電話機の開状態使用時の一例としての側面図を示すものである。
より具体的には、同図に示すように、折り畳み式携帯電話機（例えば、折り畳み式携帯電話機２０）は、受話側４が開状態で使用されることが多く、この場合にも、床置き状態にされて、送話側１が床面７と接触する機会が多い。
【０００４】
また、この場合、この折り畳み式携帯電話機が、外部情報サイトからの情報閲覧やテレビ閲覧機能を備えている場合には、この床置き状態のままでキー８を指６で操作をする場面が生じることが多い。
図１１は、従来の折り畳み式携帯電話機の開状態使用時の他の一例としての側面図を示すものである。
さらに、同図に示すように、従来の折り畳み式携帯電話機（例えば、折り畳み式携帯電話機２０）は、近年、受話側４の液晶表示部の大型化に伴い、装置の開状態での重心９のバランスが受話側４の方向に向かう傾向が見られる。
【０００５】
本発明に関連する公知技術としては、まず、特許文献１に、台に載置した際の安定性が優れた、折りたたみ構造の携帯端末装置の技術が開示されている。具体的には、キー操作部を有する下側筐体と、表示部を有する上側筐体と、下側筐体と上側筐体を回動可能にする結合部と、転倒防止部を有する、折りたたみ構造の携帯端末装置である。転倒防止部は、最も転倒しやすい方向である上側筐体の後方に下側筐体の支持面とほぼ同じ方向に取り付ける。上側筐体の重さによらず高い安定性が得られ、表示部の視認性を良くするために上側筐体の角度を自由に変えても、安定性を得ることができるものとしている。
【０００６】
また、特許文献２に、第１の筐体と第２の筐体とを折り畳み自在に連結する開閉軸と、開閉軸と直交し、第１の筐体を表裏反転自在に支持する垂直軸とを備えた携帯電話機において、表示部を横長状態にして、机上に安定した状態で載置してテレビを視聴したりテレビ電話をしたりすることができる技術が開示されている。具体的には、第１の筐体の裏面側に断面山形の山形部を膨出して形成する。この山形部に第１の筐体を表裏反転した状態で第１の筐体と第２の筐体とを折り畳み、第１の筐体を垂直軸を中心に若干回転させて左右側方の一方と第２の筐体の表面との間隔を広げた状態で保持し、この間隔の広がった側方側を机上に載置可能とする側方載置用部材を形成するものとしている。
【０００７】
さらに、特許文献３に、電池収納部に収納されている電池パックを、比較的簡単な構成で、かつ容易に取り出し可能にする手段を開示している。具体的には、携帯電話機ケースの電池桶（電池パック収納部）に、この電池桶に電池パックが収納されているときには電池桶の側壁内に引き込められた状態とされ、携帯電話機ケースに嵌合された電池カバーをスライドさせて該電池カバーを外す操作が行われたときに、この電池カバーに設けられたリブと当接して電池桶内に押し出されることによって、電池桶に収納されている電池パックを電池桶の底面から押し上げる機能を備えたスライダが設けられている。そのためスライダには、電池桶内にスライドしながら押し出されたときに電池パックの一端を持ち上げる為のスロープが形成されるものとしている。
【先行技術文献】
【特許文献】
【０００８】
【特許文献１】特開２００３−２５８９７０号公報
【特許文献２】特開２００８−２１９７３６号公報
【特許文献３】特開２００９−０３２５９５号公報
【発明の概要】
【発明が解決しようとする課題】
【０００９】
ところで、上記背景技術で述べた従来の携帯電話機にあっては、受話側が開状態で使用されることが多く、この場合にも、床置き状態にされて、送話側が床面と接触する機会が多い。また、この場合、この携帯電話機が、外部情報サイトからの情報閲覧やテレビ閲覧機能を備えている場合には、この床置き状態のままでキーが指で操作されることになる。
【００１０】
しかしながら、このような場合、装置ラウンドフォルム部が台床面に接している状態だと、台床面との接地面積が少なくて、キーの操作時に装置全体が傾き、また、ぐらついてしまって、キーが押下し難くなり、操作が困難になるという問題点が有った。
また、前述のとおり、受話側の液晶表示部の大型化に伴い、装置の開状態での重心のバランスが受話側の方に向かう傾向にあり、装置の開状態では受話側に倒れこんでしまうケースも発生しているという問題点が有った。
【００１１】
そこで、本発明では、
（１）  床置き時に送話側が床から浮き上がる形態の折畳み式携帯電話機（折り畳み式携帯電話機またはスライド式携帯電話機のいずれであっても良い）において、送話側が床から浮き上がらないように、送話側に設けた電池カバーを安定的に移動させる電池カバー移動手段を有することと、
（２）  外表面に装置ラウンドフォルム部を有し、この装置ラウンドフォルム部が床に接するように装置を置いたときに、引き出した電池カバーにより平面を形成する平面形成手段を有することと、
（３）  上記の電池カバー移動手段及び平面形成手段は、電池カバーを送話側の先端から突出するように移動させるスライド機構から成ることと、
を骨子としている。
【００１２】
なお、前述の特許文献１乃至３に記載の技術は、前記骨子の全てを、そのままで構成要件として含むものではない。
本発明は、上記従来の問題点に鑑みてなされたものであって、携帯電話機の装置本体を開状態にして装置全体を床置きした場合において、キー操作時の装置のぐらつきを防止することができる携帯電話機を提供することを目的としている。
本発明の他の目的は、携帯電話機の装置本体を開状態にして装置全体を床置きした場合において、キー操作時の装置のぐらつきを防止することができる携帯電話機本体の不安定化防止方法を提供することにある。
【課題を解決するための手段】
【００１３】
上記課題を解決するために、本発明に係る携帯電話機は、装置本体の送話側に、該装置本体の縦方向の長さを増加させる方向への引き出しが可能で、かつ前記引き出し後には底面が着床するように構成された、前記装置本体の一部を構成する構造体を設けたことを特徴とする。
また、本発明に係る携帯電話機本体の不安定化防止方法は、装置本体の送話側に、該装置本体の縦方向の長さを増加させる方向への引き出しが可能で、かつ前記引き出し後には底面が着床するように構成された、前記装置本体の一部を構成する構造体を設けることを特徴とする。
【発明の効果】
【００１４】
以上説明したように、本発明の式携帯電話機によれば、電池カバー等の構造体を送話側へスライドさせることができるので、装置本体の重心の位置が送話側へ移動し、また、この構造体の下面を平坦にすれば、その大部分の面積が台床と接地するようにできるので、キーを安定的に操作することが可能となる効果が有る。
【図面の簡単な説明】
【００１５】
【図１】本発明の実施形態に係る携帯電話機の開状態使用時の側面図を示すものである。
【図２】本発明の実施形態に係る携帯電話機の電池カバーと送話側のケースの両側面の溝部との関係を示す説明図である。
【図３】本発明の実施形態に係る携帯電話機の電池カバーと送話側のケースの両側面の溝部との詳細な配置関係を示す説明図である。
【図４】本発明の他の実施形態に係る携帯電話機の開状態使用時の外観図を示すものである。
【図５】本発明の他の実施形態に係る携帯電話機の開状態使用時の一例としての側面図を示すものである。
【図６】本発明の他の実施形態に係る携帯電話機の開状態使用時の他の一例としての側面図を示すものである。
【図７】従来の折り畳み式携帯電話機の一例としての外観図である。
【図８】従来の折り畳み式携帯電話機の一例としての正面図である。
【図９】従来の折り畳み式携帯電話機の台床設置状態での一例としての側面図を示すものである。
【図１０】従来の折り畳み式携帯電話機の開状態使用時の一例としての側面図を示すものである。
【図１１】従来の折り畳み式携帯電話機の開状態使用時の他の一例としての側面図を示すものである。
【発明を実施するための形態】
【００１６】
本発明は、装置（携帯電話機）の送信側に付属する電池カバーを安定的にスライドさせることで装置全体の重心の位置を変えるものである。ここで、電池カバーが容易に外れないように、その係止構造については後述する特別な考慮がなされている。
以下、本発明の携帯電話機及び携帯電話機本体の不安定化防止方法について、図面を参照して詳細に説明する。
図１は、本発明の実施形態に係る携帯電話機の開状態使用時の側面図を示すものである。同図を含めて以下に示す図（図１〜６）では、図７〜１１（従来例）と重複する部分には同一の符号を附し、説明を省略する。
また、この実施形態では、折り畳み式携帯電話機の場合で説明するが、本発明に係る携帯電話機は、他の一般的な携帯電話機にも適用可能であり、特に、スライド式の携帯電話機にも適用可能である。さらに、本発明に係る携帯電話機は、他の携帯可能な情報端末装置にも適用可能である。
同図に示す本実施携帯に係る携帯電話機１０は、図７〜１１に示す従来の折り畳み式携帯電話機２０と比べて、電池カバー１１を必須の構成要素とし、かつ、その構成には、後述する特別の工夫を施すものである。
同図に示す本実施携帯に係る携帯電話機１０の外観図は、例えば、図７に示す従来の折り畳み式携帯電話機２０の外観図と同じであっても良い。
【００１７】
以下、図１を参照しながら、本実施形態の携帯電話機１０の機能を、電池カバー１１を主体にして説明する。
本実施携帯に係る携帯電話機１０は、装置床置き開状態の場合に、送話側１に設置した電池カバー１１を矢印１２の方向にスライドさせることで、重心９のバランスを送話側１にずらすものである。
これにより、図１１に示すような、送話側１の台床７からの浮き上がりを防止する。図１では、電池カバー１１の先端部には錘１３を実装させている。この錘１３は、電池カバー１１をスライドさせるだけでは重心のバランスを変えられない場合にのみ必要となるオプショナルな構成要素である。例えば、電池カバー１１を構成する素材を十分な重さを有する金属にして、この電池カバー１１のスライドだけで重心のバランスを送話側１に移動できる場合には錘１３は省略しても良い。
【００１８】
また、本実施携帯に係る携帯電話機１０は、電池カバー１１のスライド後に、スライド部分の下面において平坦な接地面積を確保することで、装置を床置きで開状態にした場合であっでも、キー８を安定して操作できるようしている。
図２は、本発明の実施形態に係る携帯電話機の電池カバー１１と送話側１のケースの両側面の溝部１４との配置関係を示す説明図である。
同図に示すように、本発明の実施形態に係る携帯電話機１０では、送話側１のケースの両側面（図２では片側面だけを示す）には、電池カバー１１とのスライドレールを構成する溝部１４を設けており、他方、電池カバー１１側には、この溝部１４の内部をスライドできる突起部（後述する）を設けている。
【００１９】
図３は、本発明の実施形態に係る携帯電話機の電池カバー１１と送話側１のケースの両側面の溝１４部との詳細な配置関係を示す説明図である。
同図に示すように、本発明の実施形態に係る携帯電話機１０が開状態になると、装置本体の全体の重心９が受話側４へ傾くので、先端部に錘１３を実装した電池カバー１１をスライドさせる。
【００２０】
送話側１のケースの両側面には、電池カバー１１とのスライドレールを構成する溝部１４を設けており、上記のスライド時には、電池カバー１１側に設けたスライド引っ掛かり凸部１５が溝部１４の中でスライドする。
矢印１２で示す方向へのスライド途中には、電池カバー１１側に凸部１６を設けており、ユーザが、電池カバー１１の取外し時の位置を検知することができるようにしている。
また、この凸部１６の位置を超えて、電池カバー１１を、矢印１２で示す方向へスライドさせると、電池カバー１１は、ユーザが、キー８の操作が安定してできる位置まで移動し、凸部１７に乗り上げて、停止できる構成となっている。
【００２１】
本実施形態に係る携帯電話機１０によれば、電池カバー１１を、矢印１２で示す方向へスライドさせた後は、重心９の位置が送話側１へ移動し、また、電池カバー１１の下面の大部分の面積が台床７（図１参照）と接地するので、キー８を安定して操作することが可能となる効果が有る。
また、この効果により、ユーザが装置を床置き開状態で使用する場合であっても、キー８を安定して操作できるようにしているので、ユーザビリティに配慮した商品を提供することが可能となる効果が有る。
【００２２】
（他の実施形態）
本発明に係る携帯電話機は、形状、サイズ、設置位置等を限定されるものではなく、例えば、送話側１の背面側に装置ラウンドフォルム２を有する構成にすることができる。
図４は、本発明の他の実施形態に係る携帯電話機の開状態使用時の外観図を示すものである。
同図に示すように、受話側４の方向に重心９のバランスが著しく傾いて、装置が傾いたり、ぐらついたりする場合には、電池カバー１１のスライドエリア内に、ポケット１８を設け、バランスを取る上での最も効果的な重さの錘１３を選んで、このポケット１８の上に置くことが可能であり、これにより、適切にバランスを取ることができる効果が得られる。
【００２３】
図５は、本発明の他の実施形態に係る携帯電話機の開状態使用時の一例としての側面図を示すものである。
同図に示すように、床面７と接地する面側に、所定の重量を有する構造体３を配することも可能であり、同様にバランスを取ることができる効果を有する。
図６は、本発明の他の実施形態に係る携帯電話機の開状態使用時の他の一例としての側面図を示すものである。
同図に示すように、床面７と接地する面側に、送話側１に倒れこむ重量バランスを有するラウンドフォルム９を配することも可能であり、同様にバランスを取ることができる効果を有する。
【符号の説明】
【００２４】
１  送話側
２  装置ラウンドフォルム部
３  構造体
４  受話側
７  台床
９  重心
１０  携帯電話機（本発明）
１１  電池カバー
１３  錘
１４  溝部
１５  スライド引っ掛かり凸部
１６，１７  凸部
１８  ポケット
２０  折り畳み式携帯電話機（従来）
【図１】
2012029238.tif 000003
【図２】
2012029238.tif 000004
【図３】
2012029238.tif 000005
【図４】
2012029238.tif 000006
【図５】
2012029238.tif 000007
【図６】
2012029238.tif 000008
【図７】
2012029238.tif 000009
【図８】
2012029238.tif 000010
【図９】
2012029238.tif 000011
【図１０】
2012029238.tif 000012
【図１１】
2012029238.tif 000013